(57)【要約】  液体組成物及びそれを包むフィルム材料から構成される悪臭を発生する水溶性洗浄パウチとそのための包装容器との組み合わせを含む洗剤パックであり、  ａ）前記液体組成物は第１の香料を含み；及び  ｂ）前記包装容器はその内壁に付着されたホットメルト接着剤を含み、前記ホットメルトはアルデヒドを含む香料を含む。  悪臭を発生する水溶性のパウチを収容する包装容器の内部の悪臭を防止又は低減するための方法もまた提供される。【特許請求の範囲】
【請求項１】
液体組成物及びそれを包むフィルム材料から構成される悪臭を発生する水溶性洗浄パウチとそのための包装容器との組み合わせを含む洗剤パックであって、
ａ）前記液体組成物は第１の香料を含み；及び
ｂ）前記包装容器はその内壁に付着されたホットメルト接着剤を含み、前記ホットメルトはアルデヒドを含む香料を含んでいる、洗剤パック。
【請求項２】
前記包装フィルム材料はポリビニルアルコールである、請求項１に記載の洗剤パック。
【請求項３】
前記ホットメルト接着剤は、
ｄ）エチレンと、少なくともヘテロ原子を含む少なくとも別のモノマーとのコポリマー；
ｅ）少なくとも１つのへテロ原子を含む少なくとも１０％の可塑剤；及び
ｆ）約２０％〜約７０％の、アルデヒドを含む香料、
を含む、請求項１又は２に記載の洗剤パック。
【請求項４】
前記水溶性は、パウチは多区画パウチである、請求項１〜３のいずれか一項に記載の洗剤パック。
【請求項５】
前記水溶性のパウチは粉末区画を含む多区画パウチである、請求項１〜４のいずれか一項に記載の洗剤パック。
【請求項６】
前記水溶性洗剤パウチは食器洗浄パウチである、請求項１〜５のいずれか一項に記載の洗剤パック。
【請求項７】
前記包装容器は再閉鎖可能な可撓性のバッグである、請求項１〜６のいずれか一項に記載の洗剤パック。
【請求項８】
前記包装容器は逆止め弁を含む、請求項７に記載の洗剤パック。
【請求項９】
洗浄組成物及びそれを包むフィルム材料から構成される悪臭を発生する水溶性パウチを収容する包装容器の内部の悪臭を、前記包装容器にその内壁に付着されたホットメルト接着剤を提供することによって防止又は低減する方法であって、前記ホットメルト接着剤はアルデヒドを含む香料を含む方法。
【請求項１０】
前記包装フィルム材料はポリビニルアルコールである、請求項９に記載の方法。
【請求項１１】
前記水溶性のパウチは粉末区画及び液体区画を有する２区画パウチである、請求項９又は１０に記載の方法。
【発明の詳細な説明】
【技術分野】
【０００１】
本発明は洗剤パックの分野に属する。詳細には、包装容器と水溶性洗浄パウチとの組み合わせを含む洗剤パックに関する。本発明はまた、水溶性のパウチを収容する包装容器の内部の悪臭を防止又は低減するための方法に関する。
【背景技術】
【０００２】
洗浄洗剤組成物は通常香りが付けられている。粉末洗浄製品は通常、その粉末上に噴霧された香料を包含する。液体洗浄製品は通常、その中に溶解された／乳化された香料を包含する。従来の製品では、香料の一部が組成物からパッケージのヘッドスペース中に放出されて、そのパッケージが開けられるたびに、又は少なくともその最初の数回に対して、心地良い香りを提供する。消費者はこの心地良い香りを洗浄力と関連付け、包装が開けられるたびに香料を知覚することを期待する。
【０００３】
水溶性洗浄パウチ、即ち使用中に溶解する水溶性のフィルムで被包された洗浄組成物は、香料を含有してもよい。ポリビニルアルコールフィルムなどのほとんどの水溶性フィルム材料は、実質的に香料不透過性であり、パウチの内部から包装容器への香料の移動を妨げ又は減少させる。
【０００４】
通常、水溶性フィルム材料は水分に弱い。フィルム及び封入された組成物を保護するために、パウチは周囲環境からパウチの内部への、及びその逆の水分の移動を低減させる包装容器中に保存される。ＰＣＴ国際公開特許ＷＯ０３／０４７９９８は、洗剤組成物を含有する水溶性カプセルとそのカプセルを収容するパッケージとの組み合わせを開示している。そのパッケージは、３８℃及び相対湿度９０％で０．２５ｇ／ｍ２／日〜１０ｇ／ｍ２／日の水蒸気移動速度を有する材料から形成される。
【発明の開示】
【発明が解決しようとする課題】
【０００５】
水溶性洗浄パウチは、主に製造プロセスに由来するフィルム材料の不純物から生ずる悪臭を発生する場合があることが、今では判明している。これらの悪臭はパッケージの限定されたヘッドスペース中に蓄積し、そのパッケージを開けたときに知覚され易い。これが消費者と製品との相互作用の最初の瞬間である。製品の受け入れは大いにこの瞬間に基づく。消費者はこれらの悪臭が非常に不快であると感じ、それらをきつい化学物質と関連付ける。このことは消費者からの受け入れに悪影響を及ぼし得る。
【０００６】
悪臭は強い又は高濃度の香料で被覆することができるが、しかし、洗浄製品中の強い香料の使用は、特に自動食器洗浄組成物の場合には、消費者にあまり受け入れられない。消費者はこの場合もまた強い香りをきつい化学物質と関連付け、食品と接触されることになる品目において強く香りが付けられた製品を使用するのを好まない。食器洗浄製品で使用するのに許容可能な香料は新鮮さのニュアンスを有している必要がある。
【課題を解決するための手段】
【０００７】
本発明の第１の態様によると、悪臭を発生する水溶性洗浄パウチとそのための包装容器との組み合わせを含む洗剤パックが提供される。パウチは好ましくは液体組成物を含み、好ましい実施形態ではこの液体組成物は香料を含む。包装容器はその内壁に付着されたホットメルト接着剤を含み、そのホットメルトは第１の香料と同じであっても又は異なっていてもよい第２の香料を含んでいる。この第２の香料は洗浄パウチの悪臭の影響を弱めるのに有効であり、及び好ましい実施形態では、アルデヒドを含有する香料である。
【０００８】
パックは好ましくは、少なくとも１０個のパウチ、より好ましくは少なくとも１２個のパウチを収容する。好ましい実施形態では、包装フィルム材料はポリビニルアルコールである。包装容器が最初に開けられる時及びその後包装容器が開けられるたびに、非常に心地良い香りが得られる。
【０００９】
「ホットメルト接着剤」とは、溶融され、冷却時に包装容器に送達されて付着される高分子組成物と理解される。組成物はそれ自体が接着剤であり、包装容器に付着するために接着助剤を必要としない。好ましくは、接着剤の融解温度はアルデヒドを含む香料の引火点よりも低く、好ましくは１００℃も低く、より好ましくは７０℃も低い。
【００１０】
特にそれらが限定された空間中に包装されている時に、パウチに関連した「魚の」臭気に似た悪臭が存在することが、今では判明している。包装フィルム材料は、特にその材料がポリビニルアルコールである場合に、この悪臭の主たる原因となると考えられている。本発明はしたがって、包装フィルム材料がそれ自体悪臭を発生する洗剤パウチに特に適用性がある。理論に束縛されるものではないが、悪臭は製造プロセスの間にフィルム中に捕捉されたアミン類又は他の不純物によって引き起こされることがあると考えられている。アミン類及び／又は他の不純物は悪臭を発生するパウチの寿命の間徐々に放出される。悪臭は、容積の小さい限定空間に制限されている場合に特に顕著であり、例えば、悪臭はそれぞれ体積約２０ｍｌの１２個のパウチを含む、以下の寸法：まち８．９ｃｍ、幅１５．９ｃｍ及び高さ１８．１ｃｍのＰＥＴ／ＰＥラミネート包装容器において容易に感知可能である。アミン類は香料から放出されるアルデヒド類と反応して嗅覚的に心地良い錯体を生ずる場合があることが理論化されている。この心地良い香りは、包装容器が最初に開けられる時だけでなく、包装容器を開けるたびに得られる（包装容器は収容されているパウチの数と同じ回数だけ、即ち約１２回開けられることが予想される）。ホットメルト接着剤は香料の持続された放出を提供することができ、毎回包装容器が開けられそしてその後閉じられた後にヘッドスペースの補充を可能にする。
【００１１】
洗浄パウチとは、使用中に溶解する水溶性フィルム内に包装された、即ち、洗浄組成物の使用のためにフィルムを除去する必要のない、洗濯、手による又は自動の食器洗浄、等を包含する洗浄で使用するための洗浄組成物、即ち洗剤又は添加剤組成物と理解される。用語「パウチ」とは、本明細書で使用するとき、サッシェ（sachet）、カプセル、及び包まれた部分を包含する。パウチは通常、約４０〜約１０ｍｌ、好ましくは約３０〜約２０ｍｌの体積を有する。寸法はパウチの幾何学的形状によって変化してよく、矩形、正方形のパウチは約６×６ｃｍ2〜約２×２ｃｍ2、好ましくは約４×４ｃｍ2〜約２．５×２．５ｃｍ2のフットプリント、及び約０．５〜約２ｃｍ、好ましくは約０．８〜約１．８ｃｍの高さを有していてよい。長円形、楕円形、及び丸形のパウチは、約２〜６ｃｍの範囲の最大直径及び約０．５〜約２ｃｍの高さを有していてよい。
【００１２】
好ましい実施形態では、ホットメルトは、その重量基準で以下を含む：
ａ）エチレンと少なくともヘテロ原子を含む少なくとも別のモノマーとのコポリマー；
ｂ）少なくとも１０％の、少なくとも１つのへテロ原子を含む可塑剤；及び
ｃ）約２０％〜約７０％、好ましくは約３０％〜約６０％の、アルデヒドを含む香料。
【００１３】
ホットメルトは香料の均一な及び持続した放出を与え、毎回パウチが分与された後にヘッドスペースの補充を可能にする。
【００１４】
洗浄パウチは単区画又は多区画パウチであることができる。多区画パウチの場合には、液体組成物は、洗浄組成物（即ち、ビルダー等などの洗浄活性成分を含有する）又は純粋に香料、染料等を含有する審美的組成物のどちらであることもできる。
【００１５】
用語「液体」とは、本明細書で使用するとき、ゲル、ペースト、及びその中に固体が懸濁された液体組成物も包含する。液体組成物は第１の香料を含む。第１の香料及びアルデヒドを含む香料は同じであることができるが、好ましくはそれらは異なっている。フィルム材料は通常、実質的に香料に対して不透過性である。液体組成物中に含有された香料は主に使用中に放出されることになる。貯蔵及び取扱い中に液体組成物から誘導される香料効果は全く無いか又は無視できる。本発明のパックは、パウチが使用される時ばかりでなく包装容器が開けられる時に心地良い香りを提供する。この手法は２つの類似の又は異なる香料の、１つは取扱い中の及び１つは使用中の送達を可能にし、消費者に、より完全な及び心地良い経験を提供する。通常はパウチの取扱い及び分与中に期待される香料経験は、使用中に期待されるものとは異なり、異なる香料の性質及び強度が必要とされる。本手法は妥協を必要とすることなく２つの瞬間における最適化を可能にする。本手法はまた、液体組成物の香料がその組成物が使用時に放出されるまで損なわれないまま保たれるようにする。
【００１６】
好ましい多区画実施形態では、パウチは香料を更に含んでいてもよい粉末組成物を含む。例えば、漂白剤のような気体発生成分を含有するパウチは、貯蔵中に形成される気体を放出するために、気体放出手段、例えばピンホールを有していてもよい。気体放出手段は、少量の香料及び／又は悪臭もまた放出し得る。自動食器洗浄のような特定の用途では、高濃度の香料は受け入れられない。消費者は食器を高濃度の香料と接触させることを好まない。気体放出手段を有するパウチはいくらかの香料を放出し得るが、放出される量はフィルムから生ずる悪臭の問題を克服するのに十分であるとはいえない。粉末組成物中の香料の濃度が増大された場合、これは使用中に過剰な効果を生じて食器に残留の臭気を残し、このことは受け入れられない場合がある。ホットメルト接着剤から放出される香料はまたピンホールを通して粉末組成物から来る悪臭の影響を弱めてもよい。
【００１７】
別の好ましい実施形態では、包装容器は、好ましくは自立可能であり及び好ましくは逆止め弁を有する、再閉鎖可能な可撓性バッグである。これはバッグが開けられる前でもバッグが保持されるたびに、単にバッグを押しつぶすことによって、香料の送り出しを可能にする。
【００１８】
「可撓性」バッグにより、手で押しつぶすことで容易に変形することができる、好ましくは単なるバッグを保持する動作によって変形されるバッグが理解される。
【００１９】
本発明の別の態様によると、洗浄組成物及びそれを包むフィルム材料から構成される悪臭を発生する水溶性パウチを収容する包装容器の内部の悪臭を、前記包装容器にその内壁に付着されたホットメルト接着剤を提供することによって防止する又は低減する方法が提供され、このホットメルト接着剤はアルデヒドを含む香料を含む。
【００２０】
好ましい実施形態では、包装フィルム材料はポリビニルアルコールである。この方法はあらゆる種類の悪臭を発生するパウチを収容する包装容器に好適である。悪臭は主にフィルム材料に起因すると考えられているが、この方法は洗浄組成物から生ずることのある他の悪臭に対処することができると思われる。好ましい実施形態では、本発明の方法は、粉末区画及び液体区画を有する２区画パウチを収容する洗剤パックにおいて実施される。
【発明を実施するための最良の形態】
【００２１】
本発明は、水溶性洗浄パウチを収容し及び分与するための包装容器を含む洗剤パックを想定している。包装容器は、香料を含むホットメルト接着剤を内壁に付着されている。ホットメルトはゆっくりと香料を放出し、包装容器が開けられるたびに心地良い香りを提供する。好ましい実施形態は、パックが取り扱われるたびに（それが開けられる前でも）心地良い香りを提供する。洗浄組成物はまた、使用中に放出される香料も含んでいる。本発明はまた、パウチを収容する包装容器の内部の悪臭を、その包装容器にアルデヒドを含む香料を含むホットメルト接着剤を提供することによって、防止する又は低減するための方法も想定している。
【００２２】
水溶性洗浄パウチは当該技術分野において周知である。例えば、ＰＣＴ国際公開特許ＷＯ０２／４２４００、ＷＯ０２／４２４０１、ＷＯ０２／１６５４１、及びＷＯ０２／１６２２２は水溶性の洗浄パウチを記載している。
【００２３】
本明細書で使用するための好適なパウチ材料は、ＰＣＴ国際公開特許０２／４２４０８の２２ページ２０行〜２４ページ８行に記載されている。
【００２４】
好ましいパウチ材料としては、米国インディアナ州ゲーリー（Gary）のクリス−クラフト・インダストリアル・プロダクツ（Chris-Craft Industrial Products）により販売されるような商品照会名モノゾル（Monosol）Ｍ８６３０として知られているＰＶＡ（ポリビニルアルコール）フィルム、及び同様の溶解特質及び変形特質を有するＰＶＡフィルムが挙げられる。本明細書で使用するのに好適な他のフィルムには、アイセロ社（Aicello）により供給される商品照会名ＰＴフィルム若しくはＫ−シリーズとして知られるフィルム、又は株式会社クラレ（Kuraray）により供給されるＶＦ−ＨＰフィルムとして知られるフィルムが挙げられる。
【００２５】
包装容器
包装容器は、タブ、トレイ、ジャー、ボトル、バッグ、箱等であることができ、好ましくは包装容器は、再閉鎖可能であり、及び好ましくは３８℃及び相対湿度９０％において０．２５ｇ／ｍ２／日未満の水蒸気移動速度を有する。本明細書で使用するのに好適な包装容器としては、ＰＣＴ国際公開特許ＷＯ０２／２０３６１に記載されているものが挙げられる。特に好ましい包装容器は、ＰＣＴ国際公開特許ＷＯ０３／０４７９９８の４ページ６〜２６行及び図１に記載されているような、好ましくは逆止め弁を有する、自立型可撓性バッグである。
【００２６】
あらゆる逆止め弁を本明細書で使用することができるが、簡単のために、直径約０．１〜約３、好ましくは約０．５〜約１．５ｍｍの非常に小さなスロット又はオリフィスを生ずるがその切断に対応する材料の除去を伴わない、包装容器中の小さな切断が好ましい。
【００２７】
第１の香料組成物
液体組成物中の香料の濃度は、液体組成物の約０．００１〜約１０重量％、好ましくは約０．０５〜約５重量％、より好ましくは約０．０１〜約１．５重量％の範囲であってよい。本明細書で使用するのに、特に自動食器洗浄の実施において使用するのに好ましい香料は、洗浄される表面に残留臭気を残さない香料である。自動食器洗浄パウチで使用するのに好ましい香料は、ＰＣＴ国際公開特許ＷＯ９７／３４９８７で記載されているようなブルーミング香料である。
【００２８】
アルデヒドを含む香料
本明細書で使用するのに好適なアルデヒドは、従来香料において使用されているものであり、及び「香料及び風味料化学」第Ｉ及びＩＩ巻、Ｓ．アークタンダー（S. Arctander）、アルレッド・パブリッシング（Allured Publishing）、１９９４年、ＩＳＢＮ０−９３１７１０−３５−５に見出すことができる。好適なアルデヒドとしては、Ｃ６〜Ｃ１４脂肪族アルデヒド、Ｃ６〜Ｃ１４非環式テルペンアルデヒド、及びこれらの混合物が挙げられる。好ましくは、本発明の香料構成成分はＣ８〜Ｃ１２脂肪族アルデヒド、Ｃ８〜Ｃ１２非環式テルペンアルデヒド、及びこれらの混合物から選択される。より好ましくは、本発明の香料構成成分は、シトラール；ネラール；イソ−シトラール；ジヒドロシトラール；シトロネラール；オクタナール；ノナナール；デカナール；ウンデカナール；ドデカナール；トリデカナール；２−メチルデカナール;メチルノニルアセトアルデヒド；２−ノネンアール（2-nonen al）；デカナール；ウンデセナール；ウンデシレンアルデヒド；２，６ジメチルオクタナール；２，６，３，１０，トリメチルウンデセン−ｌ−アール（undecen-l-al）；トリメチルウンデカナール；ドデセナール；メロナール；２−メチルオクタナール；３，５，５，トリメチルヘキサナール、及びこれらの混合物から成る群から選択される。好ましくは、ホットメルトで使用するための香料は、香料組成物の少なくとも１重量％、より好ましくは少なくとも２重量％、とりわけ少なくとも４重量％のアルデヒドを含んでいる。
【００２９】
好ましくは、ホットメルト接着剤に包含される香料は、シトラスの性質、即ちレモン、オレンジ、ライム、グレープフルーツ等に似た香りを有する。シトラス香料は、新鮮さや清潔さと関連付けられ、及び例えば食器洗浄洗剤のようないくつかの洗浄製品において使用するのに好ましい香料である。
【００３０】
ホットメルト接着剤
包装容器の内側に配置されるホットメルト接着剤の量は、容器の大きさ、特にヘッドスペースの量、及びそこに収容されるパウチの数及び大きさによって決まる。例えば、約２０ｍｌの体積の１２個のポリビニルアルコールパウチを収容する包装容器であって、そのパウチがその包装容器の内部容積の４０％超過、好ましくは６０％超過、より好ましくは７０％超過を占める包装容器は、約０．０５〜約０．３ｇ、好ましくは約０．１〜約０．２ｇのホットメルト接着剤（このホットメルトは４０％〜６０％の、アルデヒドを含む香料を含む）を必要とする。
【００３１】
本明細書で使用するのに好ましいホットメルト接着剤の第１の必須構成成分はエチレンと少なくともヘテロ原子を含む少なくとも別のモノマーとのコポリマーである。エチレンと少なくともヘテロ原子を含む少なくとも別のモノマーとの全てのコポリマーが本明細書で使用するのに好適である。
【００３２】
「少なくともヘテロ原子を含むモノマー」との用語は、少なくともＣ−Ｘ結合を含む全てのモノマーを包含し、ここでＸはＣ又はＨではない。前記Ｃ−Ｘ結合は好ましくは極性結合である。好ましくは炭素原子はＮ、Ｓ、Ｆ、Ｃｌ、又はＯ原子に結合されている。より好ましくは前記極性結合はカルボニル基の、より好ましくはエステル基の一部である。本発明のための好ましい、少なくともヘテロ原子を含むモノマーは、ビニルアセテート、ビニルアルコール、メチルアクリレート、エチルアクリレート、ブチルアクリレート、アクリル酸及びそれから形成される塩類、メタクリル酸及びそれから形成される塩類、無水マレイン酸、グリシジルメタクリレート、及び一酸化炭素である。
【００３３】
本明細書に用いるのに好適なコポリマーは、ブロック及び非ブロックコポリマーの両方、グラフトコポリマー、側鎖を有するコポリマー、又は架橋されたコポリマー、及びエチレンモノマーが少なくともヘテロ原子を含むモノマーと無作為に共重合したコポリマーであることができる。
【００３４】
好ましいエチレンのコポリマーとしては、エチレン−ビニルエステルコポリマー、エチレン−アクリルエステルコポリマー、エチレン−メタクリルエステルコポリマー、アイオノマー、エチレン−アクリル酸コポリマー、エチレン−メタクリル酸コポリマー、エチレン−ビニルエステル−アクリル酸コポリマー、エチレン−ビニルエステル−メタクリル酸コポリマー、エチレン−ビニルエステル−無水マレイン酸コポリマー、エチレン−アクリルエステル−無水マレイン酸コポリマー、エチレン−ビニルエステル−グリシジルメタクリレートコポリマー、エチレン−アクリルエステル−グリシジルメタクリレートコポリマー、エチレン−無水マレイン酸コポリマー、エチレン−グリシジルメタクリレートコポリマーが挙げられる。
【００３５】
本発明で好適なコポリマー中の少なくともヘテロ原子を含むモノマーは、コポリマーの総重量の１０％〜９０％、好ましくは少なくとも１４％、より好ましくは少なくとも１８％に相当する。
【００３６】
特に好ましいコポリマーとしては、デュポン（Dupont）により商標名エルバックス（Elvax）（商標）で、アトフィナ（Atofina）によりエバタン（Evathane）（商標）で、エクソン（Exxon）よりエスコレン（Escorene）（商標）で、及びバイエル（Bayer）よりレバプレン（Levapren）（商標）及びレバメルト（Levamelt）（商標）で販売されているもののようなエチレン−ビニルアセテートコポリマー、及びアトフィナ（Atofina）より商標名ロトリル（Lotryl）（商標）で販売されているもののようなエチレン−アクリルエステルコポリマーが挙げられる。
【００３７】
本明細書で用いるのに好ましいホットメルト接着剤の第２の必須構成成分は、エチレンと少なくともヘテロ原子を含む少なくとも別のモノマーとのコポリマーと適合性のある、少なくとも１つのへテロ原子を含む可塑剤又は可塑剤の混合物である。用語「少なくともヘテロ原子を含む可塑剤」は、分子中に少なくともＣ−Ｘ結合を含む全ての可塑剤を包含し、ここでＸはＣ又はＨではない。前記Ｃ−Ｘ結合は好ましくは極性結合である。好ましくは、炭素原子はＮ、Ｓ、Ｆ、Ｃｌ、又はＯ原子に結合されている。より好ましくは、前記極性結合は、カルボニル基の、より好ましくはエステル基の一部である。
【００３８】
本明細書で使用するための好適な可塑剤としては、クエン酸エステル、低分子量ポリエステル、ポリエーテル、液体ロジンエステル、芳香族スルホンアミド、フタレート、ベンゾエート、スクロースエステル、多官能性アルコールの誘導体（ここで多官能性とは２以上のヒドロキシル基を有することを意味する）、アジパート、タータラート、セバケート、リン酸のエステル、脂肪酸及び二酸、脂肪族アルコール及びジオール、エポキシ化植物油等、及びそれらの混合物（mixtyres）が挙げられる。既に上述したように、適合性の異なる可塑剤の異なる極性（当業者に既知のいずれかの方法、例えば水／オクタノール分配係数を用いて測定可能な）は、揮発性物質の極性とのより良好な調和を与えるために、高分子マトリックスの極性を調整するために用いることができる。
【００３９】
好ましくは、ホットメルト接着剤組成物は、組成物の５重量％〜７５重量％、より好ましくは１０重量％〜５０重量％の、エチレンと少なくともヘテロ原子を含む少なくとも別のモノマーとのコポリマー；組成物の１０重量％〜６０重量％、好ましくは１５重量％〜４０重量％の、少なくとも１つのへテロ原子を含む適合性の可塑剤又は可塑剤のブレンド、及び２０％超過の、好ましくは３０％超過の、より好ましくは４０％超過の香料を含み；揮発性物質は好ましくは組成物の最大８０重量％まで含まれる。
【００４０】
高分子ホットメルト接着剤は、さらに、組成物の加工性、及びまたこうした高分子組成物から形成される物体の、機械的特質並びに粘性や光、酸素、及び熱による劣化への抵抗性、視覚的外観等のような他の特質を更に改善するために、追加の任意の構成成分を含んでいてもよい。
【００４１】
こうした任意の構成成分は、それらの特性を改善する、例えば基材との接着性又は適合性を向上させるために配合に包含されることができる、他のコポリマーを包含してもよい。この目的のために好ましい任意のコポリマーは、スチレンと少なくとも１つの他のビニル又はアクリルモノマーとのコポリマー、ポリ（ビニルアルコール）のコポリマー、ポリアミド、ポリエーテルアミドコポリマー、ポリエステルアミドコポリマー、ポリエステル、ポリエーテルエステルコポリマー、ポリウレタン、ポリエーテル、ポリ（２−エチル−２−オキサゾリン）、ポリ（ビニルピロリドン）のコポリマー、ポリアクリレート、ポリビニルエーテルのコポリマー）等である。
【００４２】
ポリマー類の水性エマルション又は分散液を得る技術は当業者には周知である。例えば、選択されたポリマー、可塑剤及び香料を熱可塑性材料として一緒にブレンドすることができる。得られた溶融物はその後、好ましくはその融点を超える温度において、混合することによって水に分散させることができる。当業者に既知の界面活性剤及び／又は安定化系を使用して、得られたエマルション又は分散液を安定化することができる。
【００４３】
別の方法としては、予め形成された水性ポリマー分散液又はエマルションを選択された可塑剤及び香料とブレンドすることができる。これは、成分をポリマー分散液若しくはエマルションに直接添加することによって、又は例えば香料及び可塑剤の水性分散液を形成して、これをポリマー分散液若しくはエマルションとブレンドすることによって行うことができる。どちらの手順も、本発明によるポリマー組成物の水性分散液の形成をもたらす。
【００４４】
別の方法としては、ポリマー分散液を可塑剤及び／又は香料の存在下で形成することができる。この方法は、分散された揮発性物質及び／又は可塑剤を含有する水中へのモノマー又はプレポリマーの溶液又は分散液を伴うことができる。次いで重合を開始してポリマー分散液を形成することができる。必要ならば、香料又は可塑剤を後で加えて分散されたポリマー組成物を生成することができる。
【００４５】
本明細書で用いるのに好ましいホットメルト接着剤組成物は、それらのレオロジー及びそれらの付着特性に起因して、選択された基材上に溶融状態で適用されるのに、及び直接そこに付着されるのに特に有用である。例えば、それらは容器の内側面に容易に適用することができる。こうした適用は容器の製造中に容易に達成することができる。ポリマー組成物は従来のホットメルトデリバリーシステムによって適用することができる。このシステムは典型的に、ホットメルトを加工可能な粘度を有するのに必要な温度に維持する溶融ユニットを包含する。溶融ユニットは典型的に、ホースの長さを通ってグルーガン又はノズルに到達するまでホットメルトを送り出すことができるポンピングシステムを含有する。ノズルはグルーの所望の適用形態（コーティング、ストライプ、ビーズ等）によって異なる幾何学形状を有することができる。典型的な実施形態では、グルーガンとしてスロットノズルを用いることができる。
【００４６】
本明細書において言及したすべての文書を参考として組み込む。
【実施例】
【００４７】
実施例で使用する略語
実施例では、省略された構成成分の識別表示は、次の意味を有する。
【００４８】
【表１】
2008501591.tif 000002
【００４９】
以下の実施例において、全ての濃度は重量パーセント（％）として引用される。
【００５０】
パウチ
組成物Ａ及びＢ（表１）は２区画層状ＰＶＡ矩形ベースのパウチへと導入される。２区画のパウチを、クリス−クラフトインダストリアルプロダクツ（Chris-Craft Industrial Products）によって供給されるようなモノゾル（Monosol）Ｍ８６３０フィルムから製造する。１７．２ｇの粒子状組成物及び４ｇの液体組成物をパウチの２個の異なる区画に入れる。２ｋｇの負荷の元でのパウチ寸法を以下に示す：長さ３．７ｃｍ、幅３．４ｃｍ及び高さ１．５ｃｍ。長手方向／横断方向の縦横比はしたがって１．５：３．２又は１：２．４７である。
【００５１】
【表２】
2008501591.tif 000003
【００５２】
アルデヒドを含む香料
表２及び３は、ホットメルト接着剤の一部を形成するアルデヒドを含む香料組成物を例示している。アルデヒドは太字で強調されている。香料Ａはレモンのニュアンスを有する。香料Ｂは新鮮なスズランのニュアンスを有する。
【００５３】
【表３】
2008501591.tif 000004
【００５４】
【表４】
2008501591.tif 000005
【００５５】
ホットメルト接着剤
組成物Ａ
２４．７５部のエルバックス（Elvax）（登録商標）２５０（デュポン（Dupont）から入手可能な、２８重量％のビニルアセテート含量及び２５ｄｇ／分のメルトフローインデックス（ＡＳＴＭＤ１２３８）を有するポリ（エチレン−コ−ビニルアセテート））、９．７５部のエスコレンウルトラＭＶ（Escorene Ultra MV）０２５２８（エクソンモービルケミカル（ExxonMobil Chemical）より入手可能な、２７．５重量％のビニルアセテート含量及び１９０℃で３１００ｃｐｓの溶融粘度（エクソンモービル（ExxonMobil）法）を有するポリ（エチレン−コ−ビニルアセテート））、１５部のフォラリンＴＭ（ForalynTM）５０２０Ｆ（イーストマンケミカル（Eastman Chemical）から入手可能なロジンエステル可塑剤）、及び０．５部のイルガノックスＴＭ（IrganoxTM）Ｂ２２５（チバガイギー（Ciba Geigy）（スイス）から入手可能な酸化防止剤）を、シグマブレードミキサーに加えてポリマーの融点よりも約１０〜２０℃高い温度（約１２０℃）に加熱した。前記成分を、均質な塊が得られるまで混合した。次に温度を、混合物がなお溶融されている点まで、典型的には混合物の融点よりも約１０〜２０℃高い点（本ケースでは約８０℃））まで下げた。５０部の香料（組成物Ａ又はＢ、表２又は３）を可塑化されたポリマー混合物に加えた。成分を、均質な混合物が得られるまで混合した。
【００５６】
組成物Ｂ
３９．５部のエスコレンウルトラＭＶ（Escorene Ultra MV）０２５２８、（エクソンモービルケミカル（ExxonMobil Chemical）から入手可能な２７．５％のビニルアセテート含量及び１９０℃で３１００ｃｐｓの溶融粘度（エクソンモービル（ExxonMobil）法）を有するポリ（エチレン−コ−ビニルアセテート））、３０部のフォラリンＴＭ（ForalynTM）５０２０Ｆ（イーストマンケミカル（Eastman Chemical）から入手可能なロジンエステル可塑剤）、及び０．５部のイルガノックスＴＭ（IrganoxTM）Ｂ２２５（チバガイギー（Ciba Geigy）（スイス）から入手可能な酸化防止剤）を、シグマブレードミキサーに加えてポリマーの融点よりも約１０〜２０℃高い温度（約８０℃）まで加熱した。前記成分を、均質な塊が得られるまで混合した。次に温度を、混合物がなお溶融されている点、典型的には混合物の融点よりも約１０〜２０℃高い点（本ケースでは約６０℃）まで下げた。３０部の香料（組成物Ａ又はＢ、表２又は３）を可塑化されたポリマー混合物に加えた。前記成分を、均質な混合物が得られるまで混合した。
【００５７】
０．１２ｇの得られた混合物を、圧迫閉鎖式（press-to-close）ジップロックを有する可撓性ＰＥＴ／ＰＥラミネート自立型折り畳み可能バッグの内壁へと送達し、混合物を室温に冷却する。１２個のパウチをバッグ中に導入し、バッグを閉じる。バッグの形状は、ＰＣＴ国際公開特許ＷＯ０３／０４７９９８の図１に示されているものであり、その寸法はまち８．９ｃｍ、幅１５．９ｃｍ、及び高さ１８．１ｃｍである。各実施例で使用されるパウチ、ホットメルト、及び香料組成物を図４に示す。
【００５８】
【表５】
2008501591.tif 000006
【００５９】
バッグを４８時間後に開け、１つのパウチを取り出してその後バッグを閉じる。このプロセスを１１日間毎日繰り返す。バッグを開けるたびに、非常に心地良い香りが知覚される。
【００６０】
実施例１〜６を、０．１８ｇのホットメルト接着剤、２０個のパウチ、及び以下の寸法：まち８．９ｃｍ、幅１５．９ｃｍ、及び高さ２０．１ｃｍのバッグを用いて繰り返す。同様の結果が得られる。
【国際調査報告】
2008501591.tif 000007
2008501591.tif 000008
2008501591.tif 000009